(57)【特許請求の範囲】
【請求項１】
用紙収納部から送り出された用紙に装置本体内に設けたサーマルヘッドとプラテンとにより印字を行って、その印字後の用紙を排出するプリンタにおいて、
前記装置本体内の下部に前記用紙収納部を設けると共に、該装置本体内の前記用紙収納部の上方に用紙を給紙する給紙部と、前記サーマルヘッド及びプラテンを配設し、
前記装置本体内における前記サーマルヘッドの用紙給紙方向下流側で前記用紙収納部の上方に位置する部分に、印字後の用紙を受け入れる用紙排出部を設け、
前記用紙排出部は、前記給紙部及び前記用紙収納部と一体で前記装置本体に対して移動可能であり、
前記用紙収納部を、該用紙収納部に用紙を収納可能な位置まで前記装置本体に対して移動できるようにし、
前記プラテンは、前記用紙収納部と一体の部材に取り付けられていて、前記用紙収納部と一緒に移動することを特徴とするプリンタ。
【請求項２】
用紙収納部から送り出された用紙に装置本体内に設けたサーマルヘッドとプラテンとにより印字を行って、その印字後の用紙を排出するプリンタにおいて、
前記装置本体内の下部に前記用紙収納部を設けると共に、該装置本体内の前記用紙収納部の上方に用紙を給紙する給紙部と、前記サーマルヘッド及びプラテンを配設し、
前記サーマルヘッドの用紙給紙方向下流側で前記用紙収納部の上方に位置する部分に印字後の用紙を受け入れる用紙排出部を設け、
ロック部材を有するロック機構を設け、
前記用紙排出部は、前記給紙部及び前記用紙収納部と一体で前記装置本体に対して移動可能であり、
前記用紙収納部を、該用紙収納部に用紙を収納可能な位置まで前記装置本体に対して移動できるようにし、
前記プラテンは、前記用紙収納部と一体の部材に取り付けられていて、前記用紙収納部と一緒に移動し、
前記ロック機構は、前記用紙排出部を印字後の用紙を受け入れ可能な位置から前記用紙収納部と一体で該用紙収納部に用紙を収納可能になる位置に向けて移動させたときに、前記用紙排出部の移動に連動して前記ロック部材が移動し、該ロック部材が前記給紙部を用紙の移動をさせない状態にロックすることを特徴とするプリンタ。
【請求項３】
用紙収納部から送り出された用紙に装置本体内に設けたサーマルヘッドとプラテンとにより印字を行って、その印字後の用紙を排出するプリンタにおいて、
前記装置本体内の下部に前記用紙収納部を設けると共に、該装置本体内の前記用紙収納部の上方に用紙を給紙する給紙部と、前記サーマルヘッド及びプラテンを配設し、
前記サーマルヘッドの用紙給紙方向下流側で前記用紙収納部の上方に位置する部分に印字後の用紙を受け入れる用紙排出部を設け、
前記用紙排出部は、前記給紙部及び前記用紙収納部と一体で前記装置本体に対して移動可能であり、
前記用紙収納部を、該用紙収納部に用紙を収納可能な位置まで前記装置本体に対して移動できるようにし、
前記プラテンは、前記用紙収納部と一体の部材に取り付けられていて、前記用紙収納部と一緒に移動し、
前記用紙排出部は支持部材に回動可能に支持され、前記用紙排出部は前記給紙部が装置の前面に露出する位置まで回動可能であることを特徴とするプリンタ。
【請求項４】
用紙収納部から送り出された用紙に装置本体内に設けたサーマルヘッドとプラテンとにより印字を行って、その印字後の用紙を排出するプリンタにおいて、
前記装置本体内の下部に前記用紙収納部を設けると共に、該装置本体内の前記用紙収納部の上方に用紙を給紙する給紙部と、前記サーマルヘッド及びプラテンを配設し、
前記サーマルヘッドの用紙給紙方向下流側で前記用紙収納部の上方に位置する部分に印字後の用紙を受け入れる用紙排出部を設け、
前記用紙収納部の前面を覆う前カバーを前記用紙収納部に対して回動可能に取り付け、
前記用紙排出部は、前記給紙部及び前記用紙収納部と一体で前記装置本体に対して移動可能であり、
前記用紙収納部を、該用紙収納部に用紙を収納可能な位置まで前記装置本体に対して移動できるようにし、
前記プラテンは、前記用紙収納部と一体の部材に取り付けられていて、前記用紙収納部と一緒に移動し、
前記前カバーを開放したときに前記前カバーが前記用紙収納部の前面から退避するようにしたことを特徴とするプリンタ。
【請求項５】
前記用紙排出部は、前記装置本体内に設けられていることを特徴とする請求項２乃至４のいずれか一項に記載のプリンタ。
【請求項６】
前記用紙排出部を印字後の用紙を受け入れ可能な位置から前記用紙収納部と一体で該用紙収納部に用紙を収納可能になる位置に向けて移動させたときに、前記用紙排出部の移動に連動してロック部材が移動し、該ロック部材が前記給紙部を用紙の移動をさせない状態にロックするロック機構を設けたことを特徴とする請求項３又は４に記載のプリンタ。
【請求項７】
前記用紙排出部は支持部材に回動可能に支持され、前記用紙排出部は前記給紙部が装置の前面に露出する位置まで回動可能であることを特徴とする請求項４に記載のプリンタ。
【請求項８】
前記サーマルヘッドは前記装置本体に取り付けられていることを特徴とする請求項１乃至７のいずれか一項に記載のプリンタ。
【請求項９】
前記用紙排出部に印字後の用紙を切断するカッタを一体に設けたことを特徴とする請求項１乃至８のいずれか一項に記載のプリンタ。
【発明の詳細な説明】
【０００１】
【発明の属する技術分野】
この発明は、用紙収納部から送り出された用紙に装置本体内に設けたサーマルヘッドとプラテンとにより印字を行って、その印字後の用紙を排出するプリンタに関する。
【０００２】
【従来の技術】
従来、このようなプリンタとしては、例えば特開平７−１８６４１４号公報に記載されているものがある。
このプリンタについて図６を参照して説明すると、プリンタ本体５０に開閉蓋５１を回動可能に設け、その開閉蓋５１の内面に駆動ローラ５２を回転自在に取り付けると共に、ロール紙５３を保持するロール紙保持部５４を設けている。
【０００３】
駆動ローラ５２には、サーマルヘッド５５がバネ５６の付勢力により圧接しており、その駆動ローラ５２とサーマルヘッド５５との間にロール紙５３を導いて、そこにサーマルヘッド５５により印字を行った後に、それをプリンタ本体５０の上部に形成している用紙排出口５７からプリンタ本体５０の外に排出するようにしている。
【０００４】
【発明が解決しようとする課題】
しかしながら、このようなプリンタ本体に用紙排出口を形成し、そこから印字後の用紙をプリンタ本体の外に排出するようにしているプリンタの場合には、その用紙排出口から排出される用紙を床等に落下させないようにするためには、その用紙排出口から排出される用紙を直接手で受け取らなければならなかった。
【０００５】
したがって、この場合には印字枚数が多い場合には、プリンタから離れることができないので不便であった。そこで、このような面倒を避けるため、用紙排出口の下側に排紙トレイを取り付けるようにすれば、印字後の用紙はその排紙トレイ上に自動的に排出されるので面倒なことがなくなる。
【０００６】
しかしながら、このようにした場合には、プリンタの使用者が他の仕事等に気を使っているときなどに、誤ってその突出した排紙トレイの部分に当ってしまったり、プリンタを転倒させてしまったりする虞が生じる。
【０００７】
この発明は上記の問題点に鑑みてなされたものであり、印字後に排出される用紙を直接手で受け取らなくてもその用紙が床等に落下することがなく、しかも排紙トレイが装置本体の表面から大きく突出したりすることのないプリンタを提供することを目的とする。
【０００８】
【課題を解決するための手段】
この発明は上記の目的を達成するため、用紙収納部から送り出された用紙に装置本体内に設けたサーマルヘッドとプラテンとにより印字を行って、その印字後の用紙を排出するプリンタにおいて、
上記装置本体内の下部に上記用紙収納部を設けると共に、その装置本体内の上記用紙収納部の上方に用紙を給紙する給紙部と、サーマルヘッド及びプラテンを配設し、上記装置本体内における上記サーマルヘッドの用紙給紙方向下流側で上記用紙収納部の上方に位置する部分に、印字後の用紙を受け入れる用紙排出部を設けたものである。
そして、上記用紙排出部は、上記装置本体から外側に突出することなく全てがその装置本体内に設けられているようにするとよい。
【０００９】
また、上記用紙排出部は、上記給紙部及び上記用紙収納部と一体で上記装置本体に対して移動可能にし、その用紙収納部を、該用紙収納部に用紙を収納可能な位置まで前記装置本体に対して移動できるようにするとよい。
また、サーマルヘッドを装置本体側に、プラテンを用紙収納部と一体の部材にそれぞれ取り付けてプラテンが用紙収納部と一緒に移動するようにするとよい。
さらに、上記用紙排出部を印字後の用紙を受け入れ可能な位置から上記用紙収納部と一体でその用紙収納部に用紙を収納可能になる位置に向けて移動させたときに、上記用紙排出部の移動に連動してロック部材が移動し、そのロック部材が上記給紙部を用紙の移動をさせない状態にロックするロック機構を設けてプリンタを構成するとよい。
【００１０】
また、上記用紙排出部を支持部材に回動可能に支持し、その用紙排出部を上記給紙部が装置の前面に露出する位置まで回動可能にするとよい。
上記いずれかのプリンタにおいて、上記用紙収納部の前面を覆う前カバーをその用紙収納部に対して回動可能に取り付け、その前カバーを開放したときにその前カバーが上記用紙収納部の前面から退避するようにするとよい。
さらに、上記いずれかのプリンタにおいて、上記用紙排出部に印字後の用紙を切断するカッタを一体に設けるとよい。
【００１１】
【発明の実施の形態】
以下、この発明の実施の形態を図面に基づいて説明する。
図１はこの発明によるプリンタ全体の主要な部分の構成を示す概略構成図である。
【００１２】
このプリンタは、装置本体１内で対をなすフィードローラ２とピンチローラ３とにより構成される給紙部によって給紙されることにより用紙収納部８から送り出されたファンホールド紙（以下用紙と云う）Ｐに、装置本体１内でその装置本体１に取り付けられたサーマルヘッド４と、用紙収納部８と一体の部材となる排出部側板１７，１７に取り付けられていて用紙収納部８と一緒に移動するプラテン５とにより印字を行って、その印字後の用紙Ｐを用紙排出部を構成する排出トレイ６上に排出する。
【００１３】
用紙収納部８は、装置本体１内の下部に設けてあり、その装置本体１内の用紙収納部８の上方に、上述した用紙を給紙するフィードローラ２とピンチローラ３を互いに圧接させて配設し、その用紙給紙方向下流側に、サーマルヘッド４及びプラテン５を、その間に用紙Ｐを圧接挾持可能に配設している。
なお、フィードローラ２はモータ２５（図４，図５参照）により、後述する複数のギヤにより構成される伝達系を介して回転され、そのフィードローラ２とピンチローラ３は、それらの圧接が図示しない圧接解除レバーにより解除可能になっている。
【００１４】
サーマルヘッド４の用紙給紙方向下流側で用紙収納部８の上方に位置する部分には、印字後の用紙Ｐを受け入れる上述した排出トレイ６を設けている。
その排出トレイ６は、両側部が両側の排出部側板１７，１７（図１には一方の側のみ図示）に一体に固定されていて、その各排出部側板１７が支持部材である保持フレーム７に軸１１により矢示Ａ方向に回動可能に取り付けられている。そして、その排出トレイ６は、図１に示した回動位置で、印字後の用紙Ｐをトレイ上に受け入れる。
【００１５】
保持フレーム７は、用紙収納部８の移動台１４に一体に固定されている。その用紙収納部８は収納トレイ１２上に用紙Ｐを収納し、その収納トレイ１２上の用紙Ｐの両側縁の位置を、互いに接近・離間可能な対のサイドフエンス１３，１３（図１には一方の側のみ図示）により規制する。
その対のサイドフエンス１３，１３と収納トレイ１２は、移動台１４に取り付けられていて、その移動台１４の両側にはガイド１５，１５（図１には一方の側のみ図示）が形成されている。
【００１６】
その各ガイド１５には、装置本体１の両側部に各ガイド１５に対応して回転自在に取り付けている複数のガイドローラ１６が転接自在に係合しており、それにより移動台１４を図１に仮想線で示すように収納トレイ１２上に用紙Ｐを収納可能な位置まで移動させることができるようになっている。
そして、その移動台１４をその仮想線で示す位置まで引き出すと、その移動台１４と一体で収納トレイ１２と、対のサイドフエンス１３，１３と、保持フレーム７と、それに取り付けられた排出トレイ６等が一体で移動する。
【００１７】
そして、用紙収納部８と一体の保持フレーム７に取り付けられた排出部側板１７には、給紙部のフィードローラ２とピンチローラ３も回転可能に取り付けられているので、用紙収納部８を引き出したときには、フィードローラ２とピンチローラ３も同方向に一緒に引き出される。
【００１８】
排出トレイ６は、前述したように一端が排出部側板１７に固定されていて、その排出部側板１７が保持フレーム７に軸１１により矢示Ａ方向に回動可能に支持されているが、その排出トレイ６の引き出し位置（図３の位置）における回動量は、図２に示すように、フィードローラ２とピンチローラ３とが、その互いに圧接するニップが装置の前面（図２で左方の面が前面側）に露出する位置まで回動するようになっている。
なお、図１で１８は、着脱自在な排出部上カバーであり、排出トレイ６を図２に示す位置に回動させるときには、それを取り外す。
【００１９】
また、このプリンタは、図１に示すように用紙収納部８の前面を覆う前カバー２１を、軸２２により用紙収納部８の移動台１４に対して矢示Ｂ方向に回動可能に取り付け、その前カバー２１を図３に示すように開放したときに、その前カバー２１が用紙収納部８の前面から全て退避するようにしている。
【００２０】
さらに、このプリンタは、図１に示したように排出トレイ６が設けられている用紙排出部に、印字後の用紙Ｐを切断するカッタ２３を排出部側板１７，１７に固定して一体に設けている。したがって、万一用紙Ｐがそのカッタ２３の部分でジャムになったとしても、その用紙収納部８を図３に示した位置まで引き出せば、そのジャムになった用紙Ｐを容易に取り除くことができる。
【００２１】
次に、図４及び図５を参照してフィードローラ２にモータ２５からの回転力を伝達する回転力伝達系について説明する。
図４は排出トレイがそこに印字後の用紙を受け入れ可能な位置にある状態での排出トレイ付近を示す概略図、図５は同じくその排出トレイを装置本体から引き出す方向に移動させた直後の排出トレイ付近を示す概略図である。
フィードローラ２は、装置本体１（図１参照）側に固定されているモータ２５からの回転力が複数のギヤからなる回転力伝達系を介して伝達されて、図４の矢示Ｃ方向に回転する。
すなわち、装置本体１側のモータ２５の回転軸にギヤ３１を固定し、そのギヤ３１にギヤ３５を噛み合わせている。そのギヤ３５は、ローラ状のプラテン５を支持するプラテン軸９に取り付けられていて、そのプラテン軸９はその両端部を回転自在に支持する軸受を介して両側の排出部側板１７，１７に支持されている。
【００２２】
そして、ギヤ３５に、両側の排出部側板１７，１７間に固定している軸４１に回転自在に取り付けているギヤ３６を噛み合わせ、さらにそのギヤ３６にギヤ３７を噛み合わせている。そのギヤ３７は、フィードローラ２を支持するフィードローラ軸２６の一端に固定されている。
したがって、ギヤ３１がモータ２５により回転されると、それに噛み合うギヤ３５が回転し、さらにそのギヤ３５に噛み合うギヤ３６が回転する。それにより、そのギヤ３６に噛み合うギヤ３７が回転することによりフィードローラ２が、図４で矢示Ｃ方向に回転する。
【００２３】
また、ギヤ３５，３６，３７をそれぞれ支持する排出部側板１７は、図４でギヤ３６の右方に、ロック部材として機能するストッパ３２を軸４０により回動可能に支持している。そして、そのストッパ３２にスプリング３３の一端を取り付けると共に、そのスプリング３３の他端を排出部側板１７の端部に形成しているスプリング掛け１７ａに取り付けている。それにより、ストッパ３２はスプリング３３の引っ張り付勢力により、軸４０を中心にして常に図４で時計回り方向に回動付勢されている。
そして、そのストッパ３２は、装置本体１（図１）に図４に示す位置に固定されているステー３４に同図で右端縁が当接することにより、その時計回り方向の回動が規制されるようになっている。
【００２４】
そのストッパ３２には、下端側に係合爪３２ａをギヤ３６側に突出させて形成しているが、図４に示した位置では、その係合爪３２ａはギヤ３６の歯から離れている。
このように、排出トレイ６がそこに印字後の用紙を受け入れ可能な位置にある状態では、ギヤ３５，３６，３７は互いにかみ合い状態にあり、そのときギヤ３５はモータ２５の回転軸に固定されているギヤ３１に噛み合っているので、そのモータ２５を停止させている状態ではギヤ３１が回転しないように規制されることにより（モータの保持トルクによる）ギヤ３５は回転しない。したがって、ギヤ３６，３７も回転しないので、そのギヤ３７を固定しているフィードローラ軸２６に固定されているフィードローラ２も回転しない。
【００２５】
次に、排出トレイ６からの用紙の取り出しや、用紙収納部８への用紙の補給等により、排出トレイ６を図４に示した位置から同図で左方に引き出すと、その排出トレイ６の移動直後は図５に示すようになり、排出部側板１７に取り付けられているギヤ等の部品、すなわち装置本体１（図１）側に取り付けられているモータ２５のギヤ３１とステー３４以外の部品が同図で左方に移動する。
それにより、ギヤ３１からギヤ３５が離れることにより、それらの噛み合いが外れる。また、排出部側板１７の移動に応じてストッパ３２がスプリング３３の引っ張り付勢力により軸４０を中心にして図５で時計回り方向に回動し、その回動はストッパ３２の右端縁がステー３４に当接する位置で規制される。
【００２６】
そして、排出トレイ６が更に引き出されていくと、ストッパ３２は更に時計回り方向に回動するため、今度はその下端側に形成している係合爪３２ａがギヤ３６の歯の部分に図示のように当接する。それにより、今度はその係合爪３２ａのギヤ３６の歯への当接によりストッパ３２の回動が規制される。
また、そのストッパ３２の係合爪３２ａがギヤ３６の歯と歯の間に入り込むことにより、ギヤ３６は回転できないように規制される。したがって、この状態においてギヤ３６はロック状態になるため、そのギヤ３６に噛み合っているギヤ３７は回転できない。そのため、そのギヤ３７とフィードローラ軸２６を介して一体のフィードローラ２も回転できない。
【００２７】
このように、この実施の形態によるプリンタは、用紙排出部である排出トレイ６を印字後の用紙を受け入れ可能な図４に示した位置から用紙収納部８と一体でその用紙収納部８に用紙を収納可能になる位置（排出トレイ６から用紙を取り出せる位置でもある）に向けて移動させたときに、その排出トレイ６の移動に連動してロック部材であるストッパ３２が移動し、そのストッパ３２の係合爪３２ａがギヤ３６を回転できないようにして給紙部のフィードローラ２を用紙の移動をさせない状態にロックするロック機構を設けている。
そして、この実施の形態では、そのロック機構としてはストッパ３２と、それを支持する排出部側板１７及び軸４０と、それを引っ張り付勢するスプリング３３と、ステー３４とギヤ３６，３７等からなる機構が機能する。
【００２８】
この図１に示したプリンタは、装置本体１内の下部に用紙収納部８を設け、その上方に用紙を給紙する給紙部となるフィードローラ２及びピンチローラ３と、サーマルヘッド４とプラテン５と、排出トレイ６等を設けるようにしたので、用紙収納部を装置本体１内の後部に設けてその前方に給紙部や用紙排出部を設けた場合に比べて、装置全体を前後方向に非常に小型にすることができる。
また、排出トレイ６が装置本体１の前面から前方に突出しないので、排出トレイ６が邪魔にならない。
そして、用紙収納部８は装置本体１内にあるが、その用紙収納部８は図３に示したように、そこに用紙を収納するときにはそれを装置本体１から図示の位置まで引き出すことができるので、用紙の収納トレイ１２上への収納を容易に行うことができる。
【００２９】
さらに、このプリンタは、フィードローラ２とピンチローラ３が前述したように用紙収納部８と一体で図３に示した位置まで移動可能であるため、用紙の補給時には、そこで図示しない圧接解除レバーによりフィードローラ２とピンチローラ３との圧接を解除した後に、そのフィードローラ２とピンチローラ３との間（ニップ）に用紙の先端を挿入して再び圧接解除レバーを操作してフィードローラ２とピンチローラ３を圧接させて用紙収納部８を元の位置まで押し込めば、用紙を給紙可能な状態に簡単にセットすることができる。
そして、その用紙補給の際には、フィードローラ２とピンチローラ３とが取り付けられている排出部側板１７は、図２で説明したように排出トレイ６と共に図示の位置まで回動可能であるため、その位置に回動させれば、フィードローラ２とピンチローラ３とのニップが装置本体１の前面から完全に露出するようになる。
【００３０】
したがって、補給した用紙の先端を簡単且つ確実にフィードローラ２とピンチローラ３のニップに差し込むことができる。
そして、その後で排出部側板１７を元の位置に回動させて、用紙収納部８を図１に実線で示した位置まで挿入すれば、フィードローラ２は前述したように用紙収納部８と排出トレイ６とが一体で装置本体から引き出されている間はロック機構によりロックされて空転しないようになるため、フィードローラ２とピンチローラ３のニップに差し込まれた用紙は用紙収納部８が装置本体内の所定の挿入位置に挿着されるまでの間に上記ニップから外れてしまうようなことがない。したがって、確実に給紙を行うことができる。
そのため、排出トレイ６が所定の挿入位置に挿着された後にフィードローラ２とピンチローラ３とによって給紙される用紙Ｐは、図示しないガイド板にガイドされてサーマルヘッド４とプラテン５の間に搬送され、そこで印字された後にカッタ２３により所定の長さにカットされて排出トレイ６上に排出される。
また、印字を終了した用紙Ｐを排出トレイ６から単に取り出す場合も、用紙収納部８側の用紙Ｐはロック機構によりロックされてフィードローラ２とピンチローラ３とのニップに差し込まれた状態のまま装置前面に引き出され、そのまま元に戻せばすぐに次の印字を再開できる。
【００３１】
また、このプリンタの前面には、用紙収納部８の前面を覆う前カバー２１を回動可能に設けているので、それにより安全性を確保することができると共に、用紙収納部８に用紙を補給するときにはその前カバー２１を図３に示したように開放することで、用紙の補給を一層容易にすることができる。
さらに、図１に示したように、用紙排出部の排出部側板１７には印字後の用紙を切断するカッタ２３を一体に設けているので、そのカッタ２３の部分でジャムが発生したときには、排出トレイ６を装置本体１の同図に示すセット位置から図３に示した位置まで移動させれば、その排出トレイ６の移動に伴ってカッタ２３とプラテン５が一緒に移動するので、ジャム処理を容易に行うことができる。
なお、この実施の形態では、用紙Ｐがファンホールド紙である場合の例について説明したが、この発明は従来技術の項で説明したようにロール紙保持部を有するロール紙を使用する形態のものにも、同様に適用することができる。
【００３２】
【発明の効果】
以上説明したように、この発明によれば、次に記載する効果を奏する。
請求項１のプリンタによれば、装置本体内の下部に用紙収納部を設け、その用紙収納部の上方に用紙を給紙する給紙部と用紙排出部等を設けるようにしたので、用紙収納部を装置本体内の後部に設けてその前方に給紙部や用紙排出部を設けたプリンタに比べて装置全体を前後方向に非常に小型にすることができる。
また、装置本体内に設けた用紙収納部の上方に用紙排出部を設けるため、その用紙排出部を装置本体の表面から大きく突出させるようなことをせずに、その用紙排出部に印字後の用紙を排出させることができる。
また、請求項１のプリンタによれば、給紙部は用紙排出部と一体で移動可能であり、その用紙排出部は用紙収納部と一体で移動するので、用紙収納部をそこに用紙を収納可能な位置まで移動させれば、それと同時に給紙部がそこに用紙を収納しやすい位置まで移動する。したがって、補給した用紙の給紙部への収納を簡単に行うことができる。
また、請求項１のプリンタによれば、用紙排出部は用紙収納部と一体でその用紙収納部に用紙を収納可能な位置まで移動できるので、このように用紙収納部を装置本体内に設ける構成であっても、その用紙収納部をそこに用紙を収納可能な位置まで移動させることにより、用紙の収納を容易に行うことができる。
【００３３】
請求項１、５のプリンタによれば、用紙排出部を装置本体内に設けたので、小型ですっきりとした見栄えのよい外観形状にすることができる。
【００３６】
請求項２、６のプリンタによれば、用紙排出部を印字後の用紙を受け入れ可能な位置から用紙収納部と一体でその用紙収納部に用紙を収納可能になる位置に向けて移動させたときには、その用紙排出部の移動に連動してロック機構のロック部材が給紙部を用紙の移動をさせない状態にロックするので、その状態で給紙部に収納することにより保持させた用紙は、用紙収納部を移動させる前の位置に戻すまではロック機構によるロック状態が継続されるため、その用紙収納部を戻す途中の過程で給紙部から脱落したりするようなことがない。したがって、給紙を再開させたときには用紙を確実に給紙することができる。
【００３７】
請求項３、７のプリンタによれば、用紙排出部は支持部材に回動可能に支持されていて、その用紙排出部は給紙部が装置の前面に露出する位置まで回動が可能であるため、用紙を下方の用紙収納部から給紙部により上方に給紙してその用紙を上方の用紙排出部に装置の前面に向けて排出する構成にした場合には、その構成上において給紙部が装置本体の奥側になって用紙の給紙部への収納がしにくくなるが、用紙排出部を給紙部と共に回動させればその給紙部が装置の前面に露出する位置まで移動するので、用紙の収納を簡単に行うことができる。
【００３８】
請求項４のプリンタによれば、用紙収納部の前面を覆う前カバーを用紙収納部に回動可能に取り付けて、それが用紙収納部の前面から退避するようにしたので、プリンタの動作時には前カバーで用紙収納部を覆うことにより安全性を確保でき、用紙収納部に用紙を補給するときにはその前カバーを開放することで、用紙の補給を一層容易にすることができる。
請求項８のプリンタによれば、サーマルヘッドは装置本体に、プラテンは用紙収納部と一体の部材にそれぞれ取り付けられていてプラテンは用紙収納部と一緒に移動するので、用紙収納部をそこに用紙を収納可能な位置まで移動させると、プラテンはその用紙収納部と一体の部材と共に移動するのでサーマルヘッドから離れる。
したがって、用紙収納部を移動させる前にサーマルヘッドとプラテンとの間に挾まれた用紙があったときには、用紙収納部をそこに用紙を収納可能な位置まで移動させたときにはサーマルヘッドが装置本体側に残ることにより、そのサーマルヘッドとプラテンとの間にあった用紙は、そこに挾まれた状態のままにならずに、プラテンと共に上記の用紙を収納可能な位置まで移動される。それにより、用紙のジャム処理を容易に行うことができる。また、サーマルヘッドからプラテンが離れることによりサーマルヘッドの清掃や交換作業を容易に行うことができる。
請求項９のプリンタによれば、用紙排出部に印字後の用紙を切断するカッタを一体に設けたので、そのカッタの部分でジャムが発生したときには、用紙排出部を装置本体のセット位置から移動させれば、その用紙排出部の移動に伴ってカッタが一緒に移動するので、ジャム処理を容易に行うことができる。
【図面の簡単な説明】
【図１】この発明によるプリンタ全体の主要な部分の構成を示す概略構成図である。
【図２】同じくそのプリンタに設けられている排出トレイを回動させたときにフィードローラとピンチローラの互いに圧接するニップが装置の前面に露出する様子を部分的に示す概略図である。
【図３】同じくそのプリンタの用紙収納部を引き出した後に前カバーを開放した状態を示す概略図である。
【図４】排出トレイがそこに印字後の用紙を受け入れ可能な位置にある状態での排出トレイ付近を示す概略図である。
【図５】同じくその排出トレイを装置本体から引き出す方向に移動させた直後の排出トレイ付近を示す概略図である。
【図６】従来のプリンタの一例を示す概略構成図である。
【符号の説明】
１：装置本体              ２：フィードローラ
３：ピンチローラ          ４：サーマルヘッド
５：プラテン          ６：排出トレイ（用紙排出部）
７：保持フレーム（支持部材）  ８：用紙収納部
１７：排出部側板          ２１：前カバー
２３：カッタ          ３２：ストッパ（ロック部材）
３３：スプリング          ３４：ステー
４０：軸
【図１】
0004597419.tif 000002
【図２】
0004597419.tif 000003
【図３】
0004597419.tif 000004
【図４】
0004597419.tif 000005
【図５】
0004597419.tif 000006
【図６】
0004597419.tif 000007